(57)【特許請求の範囲】
【請求項１】
ケースに電気部品装着部が形成されており、前記ケース内に収容されたバスバーの端子部が前記電気部品装着部内に配設されている電気接続箱において、
前記電気部品装着部が、常設部品装着部と追加部品装着部を含んでいる一方、
前記バスバーが、常設バスバーと追加バスバーを含んでおり、
前記常設バスバーの前記端子部が前記常設部品装着部内に配設されている一方、
前記追加バスバーが前記ケース内に取り外し可能に収容されることにより、前記追加バスバーの前記端子部が前記追加部品装着部内に配設されるようになっており、
前記ケースには、前記常設バスバーの重ね合わせ面に開口する収容凹部が形成されており、
該収容凹部の底面によって前記常設バスバーの重ね合わせ面と異なる前記追加バスバーの重ね合わせ面が形成されていると共に、
前記収容凹部には追加絶縁板が取り外し可能に嵌め入れられて、該追加絶縁板が、前記常設バスバーを支持する常設絶縁板で支持されるようになっており、
前記収容凹部には、前記追加バスバーの重ね合わせ面から前記常設バスバーの重ね合わせ面と同一平面に突出する支持突部が形成されている
ことを特徴とする電気接続箱。
【請求項２】
前記常設バスバーには、前記追加部品装着部内に配設される端子部が形成されている
請求項１に記載の電気接続箱。
【請求項３】
前記追加部品装着部がショートピン装着部と複数のヒューズ装着部を含んでおり、前記追加バスバーに設けられた複数の前記端子部の１つが前記ショートピン装着部内に配設されると共に、残りの前記端子部が各前記ヒューズ装着部内にそれぞれ配設されるようになっている
請求項１又は２に記載の電気接続箱。
【請求項４】
前記追加部品装着部がコネクタ装着部を含んでおり、一対の前記端子部を有する前記追加バスバーの一方の前記端子部が前記ヒューズ装着部内に配設されると共に、他方の前記端子部が前記コネクタ装着部内に配設されるようになっている
請求項３に記載の電気接続箱。
【請求項５】
前記追加バスバーには前記支持突部が挿通されて係合される係合凹部が設けられ、前記追加絶縁板には前記支持突部が挿通されて係合される退避孔が設けられている請求項１〜４の何れか１項に記載の電気接続箱。
【発明の詳細な説明】
【技術分野】
【０００１】
本発明は、自動車等に搭載される電気接続箱に係り、特に、ケース内にバスバーを収容すると共に、バスバーの端子部が電気部品装着部内に配設される電気接続箱に関するものである。
【背景技術】
【０００２】
従来から、自動車等において、バッテリからの電源を各電装品に効率良く分配するために、ジャンクションボックス等の電気接続箱が用いられている。このような電気接続箱は、特開２００９−２６４６４号公報（特許文献１）に記載されているように、ヒューズ装着部やコネクタ装着部等の複数の電気部品装着部がケースに形成されている。そして、ケース内に収容したバスバーの端子部を電気部品装着部内に配設することによって、電気部品としてのヒューズやコネクタ等がバスバーに接続可能とされている。
【０００３】
ところで、電気接続箱に装着される電気部品の数は、自動車の仕様変更等により変更されることがある。例えば、電装品が新たに追加される場合には、該電装品に過電流が流れるのを防止するために、電気接続箱に新たなヒューズを追加する必要がある。
【０００４】
ところが、従来の電気接続箱において、ヒューズ追加等の電気部品の増設が必要になった場合には、ケースに新たな部品装着部を形成したり、バスバーの追加や変更が必要となって、金型改修費用の発生や改修のための工数が必要になるという問題があった。
【先行技術文献】
【特許文献】
【０００５】
【特許文献１】特開２００９−２６４６４号公報
【発明の概要】
【発明が解決しようとする課題】
【０００６】
本発明は、上述の事情を背景に為されたものであって、その解決課題は、金型の変更を要することなく電気部品の増設に対応することの出来る、新規な構造の電気接続箱を提供することにある。
【課題を解決するための手段】
【０００７】
本発明の第一の態様は、ケースに電気部品装着部が形成されており、前記ケース内に収容されたバスバーの端子部が前記電気部品装着部内に配設されている電気接続箱において、前記電気部品装着部が、常設部品装着部と追加部品装着部を含んでいる一方、前記バスバーが、常設バスバーと追加バスバーを含んでおり、前記常設バスバーの前記端子部が前記常設部品装着部内に配設されている一方、前記追加バスバーが前記ケース内に取り外し可能に収容されることにより、前記追加バスバーの前記端子部が前記追加部品装着部内に配設されるようになっており、前記ケースには、前記常設バスバーの重ね合わせ面に開口する収容凹部が形成されており、該収容凹部の底面によって前記常設バスバーの重ね合わせ面と異なる前記追加バスバーの重ね合わせ面が形成されていると共に、前記収容凹部には追加絶縁板が取り外し可能に嵌め入れられて、該追加絶縁板が、前記常設バスバーを支持する常設絶縁板で支持されるようになっており、前記収容凹部には、前記追加バスバーの重ね合わせ面から前記常設バスバーの重ね合わせ面と同一平面に突出する支持突部が形成されていることを、特徴とする。
【０００８】
本態様に従う構造とされた電気接続箱によれば、常設部品装着部と常設バスバーに加えて、ケースに追加部品装着部を予め形成すると共に、追加部品装着部に追加バスバーを取り外し可能に組み付け可能とした。これにより、電気部品の増設が必要になった場合には、追加部品装着部に追加バスバーを組み付けて追加回路を形成して電気部品を装着可能とすることが出来る。その結果、ケース形状やバスバーの形状を変更することなく追加の電気部品を装着することが可能となり、ケースやバスバーを成形する金型の変更を要することなく、電気部品の増設に対応することが出来る。そして、追加の電気部品が不要である場合には、追加バスバーを取り外した状態で提供することによって、バスバーの無駄を低減することが出来る。なお、本発明における電気部品装着部としては、例えばヒューズ、コネクタ、リレー、ショートピン等、何れの電気部品が装着されるものでも良い。
【０００９】
上記本発明の第一の態様に係る電気接続箱においては、前記ケースにおける前記追加バスバーの重ね合わせ面が前記常設バスバーの重ね合わせ面と異ならされている態様が、採用されている。
【００１０】
このようにすれば、追加バスバーを常設バスバーと異なる層に配設することによって、追加バスバーと常設バスバーとの区別を容易にして、組み付け性の向上を図ることが出来る。
【００１１】
上記本発明の第一の態様に係る電気接続箱においては、前記ケースには、前記常設バスバーの重ね合わせ面に開口する収容凹部が形成されており、該収容凹部の底面で前記追加バスバーの重ね合わせ面が形成されていると共に、前記収容凹部には追加絶縁板が取り外し可能に嵌め入れられて、該追加絶縁板が、前記常設バスバーを支持する常設絶縁板で支持されるようになっている態様が、採用されている。
【００１２】
本態様によれば、収容凹部の底面に追加バスバーを重ね合わせると共に、収容凹部に追加絶縁板を嵌め入れることによって、追加バスバーを追加絶縁板で支持することが出来る。なお、追加絶縁板は、常設絶縁板で直接に支持されていても良いし、常設絶縁板に支持された常設バスバーを介して支持される等しても良い。また、追加バスバーを使用しない場合に、追加絶縁板のみを収容凹部に収容することも可能であり、例えば追加絶縁板を嵌め入れて収容凹部を埋めることによって、常設絶縁板や常設バスバーの収容凹部への入り込みを防止する等しても良い。
【００１３】
上記本発明の第一の態様に係る電気接続箱においては、前記収容凹部には、前記追加バスバーの重ね合わせ面から前記常設バスバーの重ね合わせ面と同一平面に突出する支持突部が形成されている態様が、採用されている。
【００１４】
本態様によれば、収容凹部上に常設バスバーが配設される場合でも、常設バスバーを支持突部で支持することが出来る。これにより、常設バスバーの収容凹部への入り込みを阻止して安定的に配設することが出来る。
【００１５】
本発明の第二の態様は、前記第一の態様に記載のものにおいて、前記常設バスバーには、前記追加部品装着部内に配設される端子部が形成されているものである。
【００１６】
本態様によれば、常設バスバーを利用して、追加部品装着部の追加回路を形成することが出来る。これにより、常設バスバーによる導電路を有効に利用して、スペース効率の向上と部品点数の削減を図ることが出来る。
【００１７】
本発明の第三の態様は、前記第一又は第二の態様に記載のものにおいて、前記追加部品装着部がショートピン装着部と複数のヒューズ装着部を含んでおり、前記追加バスバーに設けられた複数の前記端子部の１つが前記ショートピン装着部内に配設されると共に、残りの前記端子部が各前記ヒューズ装着部内にそれぞれ配設されるようになっているものである。
【００１８】
本態様によれば、ショートピン装着部から複数のヒューズ装着部に分岐する追加部品装着部を形成することが出来る。そして、ショートピン装着部へのショートピンの装着と非装着を選択することにより、複数のヒューズ装着部への通電と遮断を一度に設定することが出来る。
【００１９】
本発明の第四の態様は、前記第三の態様に記載のものにおいて、前記追加部品装着部がコネクタ装着部を含んでおり、一対の前記端子部を有する前記追加バスバーの一方の前記端子部が前記ヒューズ装着部内に配設されると共に、他方の前記端子部が前記コネクタ装着部内に配設されるようになっているものである。
【００２０】
本態様によれば、ヒューズ装着部とコネクタ装着部が追加バスバーで電気的に接続される。これにより、ヒューズ装着部に装着されたヒューズを介して、コネクタ装着部に装着されたコネクタに過電流を阻止しつつ給電することが出来る。
【発明の効果】
【００２１】
本発明によれば、ケースに追加部品装着部を予め形成すると共に、追加部品装着部に追加バスバーを取り外し可能に組み付けるようにした。これにより、電気部品の増設が必要な場合には、追加部品装着部に追加バスバーを組み付けることによって、ケースやバスバーの形状を変更することなく、追加部品装着部への電気部品の装着を可能とすることが出来る。その結果、ケースやバスバーを成形する金型の変更を要することなく電気部品の増設に対応することが可能となり、金型の変更に伴う費用の増加や工数の増加を回避して、コスト効率の向上を図ることが出来る。
【図面の簡単な説明】
【００２２】
【図１】本発明の一実施形態としての電気接続箱の分解斜視図。
【図２】図１に示した電気接続箱の上面図。
【図３】図１に示した電気接続箱の要部の上面図。
【図４】アッパケースにおける図３に示した要部の下面図。
【図５】図４におけるＶ−Ｖ断面図。
【図６】アッパケースへの追加バスバーと追加絶縁板の組み付けを説明するための説明図。
【図７】追加絶縁板の下面図。
【図８】図７におけるＡ矢視図。
【図９】図４に示した要部の追加バスバーの組み付け状態を示す下面図。
【図１０】図９に示した要部の追加絶縁板と常設バスバーの組み付け状態を示す下面図。
【図１１】図１０に示した要部に更に常設バスバーと常設絶縁板を組み付けた状態の、図１０におけるＸＩ−ＸＩ断面に相当する断面図。
【図１２】図１０に示した要部の、追加バスバーと追加絶縁板を組み付けていない状態を示す下面図。
【図１３】図１２に示した要部に更に常設バスバーと常設絶縁板を組み付けた状態の、図１２におけるＸＩＩＩ−ＸＩＩＩ断面に相当する断面図。
【発明を実施するための形態】
【００２３】
以下、本発明の実施形態について、図面を参照しつつ説明する。
【００２４】
先ず、図１および図２に、本発明の一実施形態としての電気接続箱１０を示す。図１に示すように、電気接続箱１０は、アッパケース１２とロアケース１４の間に、ロアケース１４側から順に、第一のプリント基板１６、スペーサ１８、第二のプリント基板２０、常設絶縁板としての第一絶縁板２２、常設バスバーとしての第一バスバー２６、常設絶縁板としての第二絶縁板２８、常設バスバーとしての第二バスバー３２、追加絶縁板としての第三絶縁板３４、追加バスバーとしての第三バスバー３８が積層して収容された構造とされている。
【００２５】
図２にも示すように、アッパケース１２には、電気部品装着部としての複数のヒューズ装着部４０、コネクタ装着部４２、レバーコネクタ装着部４４、リレー装着部４６が形成されており、これら各装着部４０，４２，４４，４６が常設部品装着部とされている。更に、図３に拡大して示すように、アッパケース１２には、電気部品装着部としてのショートピン装着部４８、ヒューズ装着部４０ａ，４０ｂ，４０ｃ、コネクタ装着部４２ａが形成されており、これら各装着部４８，４０ａ〜４０ｃ、４２ａが追加部品装着部とされている。なお、ショートピン装着部４８とコネクタ装着部４２ａの間に、ヒューズ装着部４０ａ〜４０ｃが並んで形成されている。
【００２６】
図４および図５に示すように、各装着部４０，４２，４４，４６，４８には、それぞれ、アッパケース１２を貫通する端子挿通孔５０が形成されている。従来公知のように、ヒューズ装着部４０およびショートピン装着部４８には、それぞれ、一対の端子挿通孔５０，５０が形成されている。また、コネクタ装着部４２ａには、３つの端子挿通孔５０が形成されている。
【００２７】
アッパケース１２の内面５２は単一平面とされており、内面５２によって、常設バスバーの重ね合わせ面が構成されている。そして、追加部品装着部としてのヒューズ装着部４０ａ〜４０ｃ、コネクタ装着部４２ａ、ショートピン装着部４８の内面５２側には、内面５２上に開口する凹所とされた収容凹部５４が形成されている。これにより、収容凹部５４の底面５６は、内面５２とは異なる平面上に形成されており、内面５２よりもアッパケース１２の外側（図５中、下側）に位置されている。この底面５６によって、追加バスバーの重ね合わせ面が構成されている。また、収容凹部５４には、底面５６から内面５２に向けて突出する複数の支持突部５８が形成されており、各支持突部５８の突出先端縁部が、内面５２と同一平面上に位置されている。更に、収容凹部５４の内周面には、収容凹部５４の内方に突出すると共に、底面５６から内面５２に亘って延びる複数の案内リブ６０が適宜の位置に形成されている。
【００２８】
そして、図６に示すように、収容凹部５４には、第三バスバー３８と第三絶縁板３４が収容される。第三バスバー３８はバスバー３８ａ〜３８ｄの４つのバスバーを含んで構成されている。バスバー３８ａは、１つの端子部６２ａが３つの端子部６２ａに分岐された形状とされている。バスバー３８ｂ，３８ｃ，３８ｄは、それぞれ、両端部に一対の端子部６２ａ，６２ｂが形成された形状とされている。端子部６２ａは、図示しないヒューズやショートピン等の板状の端子を挟む一対の圧接刃を備えた所謂音叉形状とされている。端子部６２ｂは、図示しないコネクタの雌端子に差し込まれる板形状とされている。以下、特に区別する必要の無い場合には、端子部６２として説明する。なお、従来公知のように、各バスバー３８には、必要に応じて、収容凹部５４の底面５６に開口された係止孔６４に差し込まれてバスバー３８を位置決めする係止突起６６が適宜の位置に形成されている。
【００２９】
図７および図８に示すように、第三絶縁板３４は非導電性の合成樹脂から形成されており、収容凹部５４の内面５２上における開口形状と略等しい形状を有する板形状とされている。第三絶縁板３４の厚さ寸法：ｔは、収容凹部５４の深さ寸法となる、アッパケース１２の内面５２と底面５６との離隔距離：ｄ（図５参照）と略等しくされている。なお、図８に１つの側面視を例示するように、第三絶縁板３４は、収容凹部５４への嵌め入れ方向の前方となる上面６８の平面形状が下面７０よりも僅かに小さくされており、全ての側面視において、上面６８側が下面７０側よりも僅かに小さくなる略台形状とされている。
【００３０】
第三絶縁板３４の上面６８には、バスバー３８ａ〜３８ｄの平面形状に対応する形状をもって、バスバー３８の厚さ分だけ凹まされた載置凹所７２ａ〜７２ｄが形成されている。更に、第三絶縁板３４には、収容凹部５４の各支持突部５８と重なる位置において、支持突部５８よりも僅かに大きな略相似形状を有する退避孔７４が貫設されている。更にまた、第三絶縁板３４の外周面において、収容凹部５４の位置決めリブ６０とそれぞれ対応する位置には、第三絶縁板３４の厚さ方向（図８中、左右方向）に延びる位置決め溝７６が形成されている。なお、第三絶縁板３４は、好ましくは、アッパケース１２と異なる色とされる。このようにすれば、第三絶縁板３４の視認性を向上して、収容凹部５４に第三絶縁板３４が収容されているか否かを容易に判別することが出来る。
【００３１】
そして、図６に示したように、バスバー３８ａ〜３８ｄが収容凹部５４に挿入されて、収容凹部５４の底面５６に重ね合わされる。これにより、図９に示すように、バスバー３８ａの１つの端子部６２ａがショートピン装着部４８の一方の端子挿通孔５０に挿通されてショートピン装着部４８内に配設されると共に、残りの３つの端子部６２ａ，６２ａ，６２ａが、それぞれ、ヒューズ装着部４０ａ，４０ｂ，４０ｃのそれぞれにおける一方の端子挿通孔５０，５０，５０に挿通されて、各ヒューズ装着部４０ａ，４０ｂ，４０ｃ内に配設される。また、バスバー３８ｂの一方の端子部６２ａが、ヒューズ装着部４０ａの他方の端子挿通孔５０に挿通されてヒューズ装着部４０ａ内に配設されると共に、他方の端子部６２ｂが、コネクタ装着部４２ａの端子挿通孔５０に挿通されて、コネクタ装着部４２ａ内に配設される。同様にして、バスバー３８ｃ，３８ｄの一方の端子部６２ａ，６２ａがヒューズ装着部４０ｂ，４０ｃ内にそれぞれ配設されると共に、他方の端子部６２ｂ，６２ｂがコネクタ装着部４２ａ内に配設される。これにより、ショートピン装着部４８と各ヒューズ装着部４０ａ，４０ｂ，４０ｃの間にバスバー３８ａが跨って配設されて相互に電気的に接続されると共に、各ヒューズ装着部４０ａ，４０ｂ，４０ｃとコネクタ装着部４２ａの間に各バスバー３８ｂ，３８ｃ，３８ｄが跨って配設されて、それぞれ電気的に接続される。このように、追加部品装着部としてのショートピン装着部４８、各ヒューズ装着部４０ａ，４０ｂ，４０ｃ、コネクタ装着部４２ａ間の導電路を構成する追加回路８０が、バスバー３８ａ，３８ｂ，３８ｃ，３８ｄを含んで構成されている。
【００３２】
続いて、図６に示したように、第三絶縁板３４が収容凹部５４に嵌め入れられる。第三絶縁板３４は上面６８側から収容凹部５４に嵌め入れられるようになっており、上面６８が下面７０よりも僅かに小さくされていることによって、収容凹部５４への嵌め入れが容易とされている。また、図１０および図１１に示すように、第三絶縁板３４の退避孔７４に収容凹部５４の支持突部５８が挿通されると共に、案内溝７６に案内リブ６０が挿入されることによって、第三絶縁板３４を収容凹部５４内で位置決めすることが出来る。これにより、バスバー３８ａ〜３８ｄに第三絶縁板３４が重ね合わされる。なお、バスバー３８ａ〜３８ｄは、第三絶縁板３４の上面６８に形成された載置凹所７２ａ〜７２ｄ（図７参照）にそれぞれ載置されて第三絶縁板３４上で位置決めされる。収容凹部５４への収容状態で、第三絶縁板３４の下面７０が、アッパケース１２の内面５２と略同一平面に位置されるようになっている。
【００３３】
そして、図１に示したように、第一のプリント基板１６、スペーサ１８、第二のプリント基板２０、第一絶縁板２２、第一バスバー２６、第二絶縁板２８、第二バスバー３２が積層されてロアケース１４に収容されると共に、アッパケース１２が重ね合わされる。これにより、第一バスバー２６および第二バスバー３２に形成された端子部６２や第一のプリント基板１６に突設された基板端子８２が、アッパケース１２に形成された常設部品装着部としてのヒューズ装着部４０、コネクタ装着部４２、レバーコネクタ装着部４４、リレー装着部４６の端子挿通孔５０に挿通されて、各装着部４０，４２，４４，４６内に配設される。
【００３４】
図１０および図１１に示したように、アッパケース１２の内面５２には、第二バスバー３２が重ね合わされる。本実施形態においては、第二バスバー３２を構成するバスバー３２ａが、収容凹部５４上に配設されて、第三絶縁板３４と支持突部５８で支持されるようになっている。また、図１１に示したように、第二バスバー３２は第二絶縁板２８で支持されるようになっており、この第二絶縁板２８によって、第三絶縁板３４が支持されるようになっている。更に、図１１に示したように、第一バスバー２６を構成する第一バスバー２６ａに形成された端子部６２が、ショートピン装着部４８においてバスバー３８ａが挿通されていない側の端子挿通孔５０に挿通されて、ショートピン装着部４８内に配設される。このように、本実施形態においては、常設バスバーとしての第一バスバー２６ａを含んで追加回路８０が構成されている。
【００３５】
以上のようにして、ショートピン装着部４８から各ヒューズ装着部４０ａ，４０ｂ，４０ｃに分岐すると共に、各ヒューズ装着部４０ａ，４０ｂ，４０ｃからコネクタ装着部４２ａ内の端子部６２ｂ，６２ｂ，６２ｂに接続された追加回路８０が形成されている。そして、ショートピン装着部４８、各ヒューズ装着部４０ａ，４０ｂ，４０ｃ、およびコネクタ装着部４２ａのそれぞれに図示しない電気部品としてのショートピン、ヒューズ、コネクタが装着されることにより、ショートピン装着部４８内に配設された第一バスバー２６ａの端子部６２から供給された電力が、ショートピン装着部４８に装着されたショートピンを経由して各ヒューズ装着部４０ａ，４０ｂ，４０ｃに装着されたヒューズにそれぞれ分配されると共に、各ヒューズを経由してコネクタ装着部４２ａに装着されたコネクタから電気接続箱１０外に取り出し可能とされる。そして、ショートピン装着部４８へのショートピンの装着と非装着を選択することにより、各ヒューズ装着部４０ａ，４０ｂ，４０ｃへの通電状態を纏めて設定することが出来る。
【００３６】
本実施形態に従う構造とされた電気接続箱１０によれば、アッパケース１２に追加部品装着部としてのショートピン装着部４８とヒューズ装着部４０ａ，４０ｂ，４０ｃ、およびコネクタ装着部４２ａが予め形成されている。そして、電気部品の増設が必要な場合には、アッパケース１２の収容凹部５４に第三バスバー３８と第三絶縁板３４を収容することによって、第三バスバー３８を含んでこれらの装着部４８，４０ａ〜４０ｃ、４２ａの導通路となる追加回路８０を形成して、装着部４８，４０ａ〜４０ｃ、４２ａにショートピン、ヒューズ、およびコネクタを装着することが出来る。これにより、アッパケース１２や第一バスバー２６、第二バスバー３２を形成する金型を変更することなく、電気部品の増設に対応することが出来る。
【００３７】
特に本実施形態においては、第三バスバー３８が、第三絶縁板３４に載置されており、第三絶縁板３４が、第二絶縁板２８で支持されるようになっている。これにより、第三バスバー３８の端子部６２ににショートピンやヒューズ、コネクタ等が接続される際に、第三バスバー３８を第三絶縁板３４で支持することが出来る。そして、第三バスバー３８と第三絶縁板３４が収容凹部５４に収容されて、常設バスバーとしての第二バスバー３２や第一バスバー２６と異なる層に配設されることから、第三バスバー３８の組み付けの有無を容易に判別することが出来る。更に、第三絶縁板３４を収容凹部５４に嵌め入れて、第三絶縁板３４の下面７０をアッパケース１２の内面５２と同一平面に位置させることにより、内面５２に重ねて配設される第二バスバー３２の収容凹部５４内への入り込みを阻止して、安定的に配設することが出来る。加えて、常設バスバーとしての第一バスバー２６ａに形成された端子部６２がショートピン装着部４８内に配設されて、ショートピン装着部４８に装着されるショートピンへの入力用の端子を構成することによって、ショートピンへの給電路を常設バスバーを利用して少ない部品点数で、安価に且つスペース効率良く形成することが出来る。
【００３８】
そして、電気部品の増設が不要である場合には、図１２および図１３に示すように、第三バスバー３８および第三絶縁板３４をアッパケース１２から取り外して電気接続箱１０を形成することが出来る。これにより、バスバーの無駄を低減することが出来る。特に本実施形態においては、図１３に示すように、第三バスバー３８および第三絶縁板３４が取り外されている場合でも、収容凹部５４上に配設される第二バスバー３２ａが支持突部５８で支持されて収容凹部５４への入り込みが阻止されることにより、第二バスバー３２ａを安定的に配設することが出来る。
【００３９】
以上、本発明の実施形態について詳述したが、本発明はその具体的な記載によって限定されない。例えば、追加絶縁板は必ずしも必要ではないが、追加バスバーを用いない場合でも収容凹部に追加絶縁板を嵌め入れることによって、常設バスバーの収容凹部への入り込みを阻止するようにしても良い。
【００４０】
また、前記実施形態における収容凹部は必ずしも必要ではなく、例えば追加バスバーを常設バスバーと同じ層で配設して、常設バスバーを支持する常設絶縁板で支持するようにしても良い。
【符号の説明】
【００４１】
１０：電気接続箱、１２：アッパケース、２２：第一絶縁板（常設絶縁板）、２６：第一バスバー（常設バスバー）、２８：第二絶縁板（常設絶縁板）、３２：第二バスバー（常設バスバー）、３４：第三絶縁板（追加絶縁板）、３８：第三バスバー（追加絶縁板）、４０：ヒューズ装着部（常設部品装着部）、４０ａ〜ｃ：ヒューズ装着部（追加部品装着部）、４２：コネクタ装着部（常設部品装着部）、４２ａ：コネクタ装着部（追加部品装着部）、４４：レバーコネクタ装着部（常設部品装着部）、４６：リレー装着部（常設部品装着部）、４８：ショートピン装着部（追加部品装着部）、５２：内面（常設バスバーの重ね合わせ面）、５４：収容凹部、５６：底面（追加バスバーの重ね合わせ面）、５８：支持突部、６２：端子部
【図１】
0005625972.tif 000002
【図２】
0005625972.tif 000003
【図３】
0005625972.tif 000004
【図４】
0005625972.tif 000005
【図５】
0005625972.tif 000006
【図６】
0005625972.tif 000007
【図７】
0005625972.tif 000008
【図８】
0005625972.tif 000009
【図９】
0005625972.tif 000010
【図１０】
0005625972.tif 000011
【図１１】
0005625972.tif 000012
【図１２】
0005625972.tif 000013
【図１３】
0005625972.tif 000014